(57)【特許請求の範囲】
【請求項１】
カメラとマイクとを含んで、車両の周囲状態情報を取得する周囲状態情報取得部と、
前記周囲状態情報取得部からの前記周囲状態情報を出力する出力部と、
前記車両のギアの変速状態を感知するギア変速状態感知部と、
前記車両のエンジンのスタートに伴ってシステム電源が印加されると、システムをブーティングするために初期ブーティングプロセスを行うブーティング実行部と、
前記ブーティング実行部で前記初期ブーティングプロセスを行う間に、前記ギア変速状態感知部で後進ギア状態が感知された場合、前記ブーティング実行部から出力される初期ブーティング画面及び音声より前記周囲状態情報取得部からの前記周囲状態情報を前記出力部から優先して出力するように制御し、かつ、第１のオーディオ信号を出力している状態において前記ギア変速状態感知部で後進ギア状態が感知された場合、前記周囲状態情報取得部からの映像信号を再生するとともに、出力していた前記第１のオーディオ信号に対応するオーディオの音量を下げ、前記後進ギア状態に対応するモードにおいて出力する第２のオーディオ信号の音量を、前記第１のオーディオ信号に対応するオーディオの音量より大きくする制御部と、
ビデオ又はオーディオを再生するメディアモードと、
第１操作ボタンの押下に伴い２つのモードの間を交互に切り替えると共に、前記メディアモードのビデオ又はオーディオとは異なるビデオ又はオーディオを再生可能なトグルモードと、
第２操作ボタンの押下に伴いモードを切り替えると共に、前記メディアモードまたは前記トグルモードのビデオ又はオーディオとは異なるビデオ又はオーディオを再生可能なサステインモードと、
を選択するための入力を受ける入力部と、
を備え、
前記制御部は、
前記メディアモードに対応するビデオ又はオーディオを再生中に前記第１操作ボタンが押下されると、前記メディアモードを保留モードとして格納し、かつ再生中の前記ビデオ又はオーディオを消音状態にして、前記トグルモードに対応するビデオ又はオーディオを再生し、
その後前記第１操作ボタンが再度押下されると、格納していた前記保留モードに対応するビデオ又はオーディオを再生し、
前記メディアモードまたは前記トグルモードに対応するビデオ又はオーディオを再生中に前記第２操作ボタンが押下されると、前記サステインモードに対応するビデオ又はオーディオを再生する、
ＡＶＮシステムの画面及びオーディオ変更制御装置。
【発明の詳細な説明】
【技術分野】
【０００１】
本発明は、車両のモードに合わせてＡＶＮ（Ａｕｄｉｏ、Ｖｉｄｅｏ、Ｎａｖｉｇａｔｉｏｎ）システムの画面及びオーディオを変更する制御装置に関する。
【０００２】
より詳しくは、車両のエンジンをスタートした直後に後進ギアモードにした場合に、ＡＶＮシステムのブーティングプロセス中で、初期ブーティング画面と音声を出力しないで、即刻車両の後方の情報を出力することで、車両の後方の情報を確認しながら後進運転ができるようにする、車両のモードに合わせてＡＶＮシステムの画面及びオーディオを変更する制御装置に関する。
【背景技術】
【０００３】
一般的に、ＡＶＮシステムは、オーディオシステム（Ａｕｄｉｏ  Ｓｙｓｔｅｍ）、ビデオシステム（Ｖｉｄｅｏ  Ｓｙｓｔｅｍ）、及びナビゲーションシステム（Ｎａｖｉｇａｔｉｏｎ  Ｓｙｓｔｅｍ）を一つのユニットに統合した車両用マルチメディアシステムである。このようなＡＶＮシステムの開発は、様々なマルチメディア装置を操作することにおいて、ユーザーに便宜性を提供し、結果的に車両の内部空間をより効率的に活用できるようにする。
【０００４】
通常、ＡＶＮシステムには、車両の専用ケーブルを介して電源が供給されるか、外付けの端末の場合は、車両のシガージャックから電源が供給される。ＡＶＮシステムは、ユーザーがシガージャックから電源用ケーブルを抜いて電源の供給を遮断するか、ユーザーによる終了操作信号が入力されると、システムを終了する動作を行う。
【０００５】
韓国公開特許第１０−２００７−００２０６９７号公報では、このようなＡＶＮシステムを記載している。
【先行技術文献】
【特許文献】
【０００６】
【特許文献１】韓国公開特許第１０−２００７−００２０６９７号公報
【発明の概要】
【発明が解決しようとする課題】
【０００７】
しかし、ＡＶＮシステムは、電源が投入される時点においてシステムのブーティングプロセスを行うが、このようなブーティングプロセスの途中ではディスプレイ部にブーティングの初期画面が表示される。この初期画面が表示される間には、車両にギアを後進モードに設定しても車両の後方に設けられている後方カメラからの画面が表示されない。場合によっては、一度後方カメラの映像に切り替えて、すぐブーティングの初期画面に切り替えてしまう。従って、車両のエンジンをスタートした直後にすぐ後進をしようとする場合、ＡＶＮシステムをブーティングする初期画面が出力される間は、後方カメラの映像を利用できないという問題があった。
【０００８】
さらに、従来のＡＶＮシステムは、製造メーカごとに独立したシステムを用いているので、それぞれのＡＶＮシステムは、画面の転移及び動作が一貫的でなく、ユーザーが直感的に使用することができないという問題があった。
【０００９】
本発明が解決しようとする一つの技術的課題は、車両のエンジンをスタートした直後に、ギアを後進モードに設定した場合、ＡＶＮシステムをブーティングする途中であってもブーティングの初期画面を出力せずに、後方カメラの映像を優先的に出力するＡＶＮシステムを提供することである。
【００１０】
本発明が解決しようとするもう一つの技術的課題は、ＡＶＮシステムの画面及びオーディオの変更に関する基準を定義し、ユーザーが認識しやすく、直感的に理解できるＡＶＮシステムの画面及びオーディオ変更制御装置を提供することである。
【００１１】
本発明が解決しようとするさらにもう一つの技術的課題は、メディアモード間の切り替え時には画面の転移が起こり、非メディアモードではメディアモード画面を表示しないでメディア（オーディオ）のみを提供し、画面を見ようとするユーザーにメディアモードを選択させ、ユーザーの選択による操作性を提供するＡＶＮシステムの画面及びオーディオ変更制御装置を提供することである。
【００１２】
本発明が解決しようとするさらにもう一つの技術的課題は、現在モードが後方駐車モードである場合に、ユーザーがメディアモードまたは非メディアモードを選択しても画面の転移が起こらない、ＡＶＮシステムの画面及びオーディオ変更制御装置を提供することである。
【００１３】
本発明が解決しようとするさらにもう一つの技術的課題は、運転者を基準に、相対的に頻繁に使用するモード、例えば、Ｒａｄｉｏモード、ＵＳＢモード、ＤＴＶモード、ＤＶＤモード、Ｍｕｓｉｃモード、Ｐｈｏｔｏモード、及びＶｉｄｅｏモードに該当する画面アイコンが前面に配置表示され、相対的に使用頻度が低いまたは走行中に使用できないモード、例えば、Ｂｌｕｅｔｏｏｔｈ（登録商標）モード、ｉＰｏｄ（登録商標）モード、及びワンセグモードに該当する画面アイコンを後方に配置して、ユーザーの操作性を向上させるＡＶＮシステムの画面及びオーディオ変更制御装置を提供することである。
【課題を解決するための手段】
【００１４】
本発明の実施例においては、カメラとマイクとを含んで、車両の周囲状態情報を取得する周囲状態情報取得部と、周囲状態情報取得部からの周囲状態情報を出力する出力部と、車両のギアの変速状態を感知するギア変速状態感知部と、車両のエンジンのスタートに伴ってシステム電源が印加されると、システムをブーティングするために初期ブーティングプロセスを行うブーティング実行部と、ブーティング実行部で初期ブーティングプロセスを行う間に、ギア変速状態感知部で後進ギア状態が感知された場合、ブーティング実行部から出力される初期ブーティング画面及び音声より周囲状態情報取得部からの周囲状態情報を出力部から優先して出力するように制御する制御部と、を備える、ＡＶＮシステムの画面及びオーディオ変更制御装置を提供する。
【００１５】
本発明の実施例において、メディアモードを選択するための複数のメディアボタンと、トグルモードを選択するための複数のトグルボタンと、サステインモードを選択するための複数のサステインボタンと、を含む入力部をさらに備え、制御部は、入力部からの第１のメディアモード選択信号が入力されると、第１のメディアモードに該当するビデオまたはオーディオを再生し、入力部から第１のトグルモード選択信号が入力されると、第１のトグルモードに該当するビデオを再生し、入力部から第１のサステインモード選択信号が入力されると、第１のサステインモードに該当するビデオまたはオーディオを再生し、現在モードが第１のメディアモードである状態で入力部から第２のトグルモード選択信号が入力されると、第１のメディアモードを保留モードとして格納し、第１のメディアモードのオーディオ信号を消音（Ｍｕｔｅ）状態にしてから、第２のトグルモードに該当するビデオを再生し、入力部から複数のトグルボタンに対応する複数のトグルモードの内何れか一つのトグルモードを選択するためのトグルモード選択信号が入力されると、格納された保留モードを確認し、保留モードと確認された第１のメディアモードに該当するビデオを再生し、現在モードが第１のメディアモードである状態で入力部から第２のサステインモード選択信号が入力されると、第１のメディアモードを保留モードとして格納し、第１のメディアモードのオーディオ信号を消音（Ｍｕｔｅ）状態にしてから、第２のサステインモードに該当するビデオまたはオーディオを再生し、入力部から複数のサステインボタンに対応する複数のサステインモードの内何れか一つのサステインモードを選択するためのサステインモード選択信号が入力されると、サステインモードに該当するビデオまたはオーディオを再生する。
【００１６】
本発明の実施例において、制御部は、後方駐車モード信号が入力されると、現在モードのオーディオの音量を下げ、周囲状態情報取得部からの映像信号を再生し、後方駐車モードのオーディオの音量を現在モードのオーディオの音量より大きくする。
【００１７】
本発明の実施例において、複数のメディアボタンに対応する複数のメディアモードは、少なくともｉＰｏｄモード、ＤＴＶモード、ＤＶＤモード、Ｍｕｓｉｃモード、Ｐｈｏｔｏモード、Ｒａｄｉｏモード、Ｖｉｄｅｏモード、Ｂｌｕｅｔｏｏｔｈ  Ｍｕｓｉｃモード、Ｄｉｇｉｔａｌ  ＴＶ（ワンセグ）モード、Ａｕｘ  Ａｕｄｉｏモード、及びＡｕｘ  Ｖｉｄｅｏモードを含み、複数のトグルボタンに対応する複数のトグルモードは、少なくともＩＮＦＯモード、ＨＯＭＥモード、及びＣＬＩＭＡＴＥモードを含み、複数のサステインボタンに対応する複数のサステインモードは、少なくともＭＡＰ（ＤＥＳＴ、ＲＯＵＴＥ）モード、Ｐｈｏｎｅモード、及びＳｅｔｕｐモードを含み、複数のメディアモード、複数のトグルモード、及び複数のサステインモードは、ユーザーの使用頻度の高い順に画面のアイコンが前面に配置され、表示される。
【発明の効果】
【００１８】
本発明によれば、車両のエンジンをスタートした直後に後進ギア状態に設定した場合、ＡＶＮシステムをブーティングする際の初期画面を表示しないで、後方カメラの映像を優先的に出力することで、ＡＶＮシステムのブーティングが終わるまで待たずに、即刻車両の後方の状況を確認しながら後進を行うことができるという効果を奏する。
【００１９】
さらに、現在モードが後進駐車モードの場合、ユーザーがメディアモードまたは非メディアモードを選択しても画面の転移が起こらないようにし、ユーザーが安全に後方の情報を確認しながら駐車することができるという効果を奏する。
【００２０】
さらに、ＡＶＮシステムの画面及びオーディオの変更に関する基準をユーザーが認識しやすく、直感的に理解できるように設定することができるという効果を奏する。
【００２１】
さらに、本発明は、運転者を基準に、相対的に頻繁に使用するモードに該当する画面アイコンが前面に配置表示され、相対的に使用頻度の低いまたは走行中には使用できないモードに該当する画面アイコンを後方に配置し、ユーザーの操作性を高めることができるという効果を奏する。
【図面の簡単な説明】
【００２２】
【図１】本発明の実施例に係るＡＶＮシステムの動作を説明するための模式図である。
【図２】本発明の実施例に係るＡＶＮシステムの画面及びオーディオ変更制御装置の構成図である。
【図３】本発明の実施例に係るＡＶＮシステムの画面及びオーディオ変更制御装置の動作を説明するための模式図である。
【図４】本発明の実施例に係るＡＶＮシステムの画面及びオーディオ変更制御装置の動作を説明するための模式図である。
【発明を実施するための形態】
【００２３】
以下では、添付の図面を参照して、本発明の実施例に係るＡＶＮシステムの画面及びオーディオ変更制御装置について詳しく説明する。
【００２４】
本発明の実施例に係るＡＶＮシステムの画面及びオーディオ変更制御装置（１００）は、車両のエンジンをスタートすると、ＡＶＮシステムのブーティングを行う間に、変速機（２）のモードを確認する。変速機（２）モードが後進（Ｒ）モードの場合、ＡＶＮシステムの画面及びオーディオ変更制御装置（１００）は、ディスプレイ装置（１）にＡＶＮシステムのブーティング初期画面を表示せずに、車両の後方カメラで撮影した映像を表示する。
【００２５】
ここで、ＡＶＮシステムの画面及びオーディオ変更制御装置（１００）は、変速機（２）のモードがドライブ（Ｄ）モードの場合にも、ディスプレイ装置（１）にＡＶＮシステムのブーティング初期画面を表示せずに、車両の前方カメラで撮影した映像を表示することができる。
【００２６】
即ち、本発明の実施例に係るＡＶＮシステムの画面及びオーディオ変更制御装置（１００）は、車両のエンジンをスタートすることでＡＶＮシステムに電源が投入され、初期ブーティングプロセスが行われる間に、変速機（２）のモードを確認し、パーキングモードまたはニュートラルモードの場合にのみ初期ブーティング画面をディスプレイ装置（１）に表示し、変速機（２）のモードが後進（Ｒ）モードまたはドライブ（Ｄ）モードの場合には、それぞれのギアモードに該当する画面を初期ブーティング画面より優先して出力する。
【００２７】
さらに、本発明の実施例に係るＡＶＮシステムの画面及びオーディオ変更制御装置（１００）は、運転者がメディアモードを選択して入力する場合、現在動作するメディアモードを保留モードとして格納し、選択したモードに該当する動作を行うことができる。
【００２８】
モードの変換による動作は、図３と図４を参照しながら詳しく説明する。
【００２９】
図２は、本発明の実施例に係るＡＶＮシステムの画面及びオーディオ変更制御装置（１００）の構成図である。
【００３０】
本発明の実施例に係るＡＶＮシステムの画面及びオーディオ変更制御装置（１００）は、車速感知部（１１０）、入力部（１２０）、ナビゲーション装置（１３０）、画面及びオーディオ変更部（１４０）、オーディオ処理部（１５０）、スピーカー（１６０）、及び表示部（１７０）で構成される。
【００３１】
車速感知部（１１０）は、車両の速度を感知し、車速情報をナビゲーション装置（１３０）に出力する。
【００３２】
入力部（１２０）は、メディアモードを選択するための複数のメディアボタン（Ｍｅｄｉａ  Ｂｕｔｔｏｎ）と、トグルモードを選択するための複数のトグルボタン（Ｔｏｇｇｌｅ  Ｂｕｔｔｏｎ）と、サステインモードを選択するための複数のサステインボタン（Ｓｕｓｔａｉｎ  Ｂｕｔｔｏｎ）を含む。
【００３３】
メディアボタンは、ｉＰｏｄモード、ＤＴＶモード、ＤＶＤモード、Ｍｕｓｉｃモード、Ｐｈｏｔｏモード、Ｒａｄｉｏモード、及びＶｉｄｅｏモードを含むメディアモードを選択することができるハードキー（Ｈａｒｄ  Ｋｅｙ）である。他の形態として、入力部（１２０）は、メディアモードを選択するためのソフトキー（Ｓｏｆｔ  Ｋｅｙ）を含むこともできる。
【００３４】
トグルボタンは、ＩＮＦＯモード、ＨＯＭＥモード、及びＣＬＩＭＡＴＥモードを含むトグルモードを選択することができるハードキー（Ｈａｒｄ  Ｋｅｙ）である。他の形態として、入力部（１２０）は、トグルモードを選択するためのソフトキー（Ｓｏｆｔ  Ｋｅｙ）を含むこともできる。
【００３５】
サステインボタンは、ＭＡＰ（ＤＥＳＴ、ＲＯＵＴＥ）モード、Ｐｈｏｎｅモード、及びＳＥＴＵＰモードを含むサステインモードを選択することができるハードキー（Ｈａｒｄ  Ｋｅｙ）である。他の形態として、入力部（１２０）は、サステインモードを選択するためのソフトキー（Ｓｏｆｔ  Ｋｅｙ）を含むこともできる。
【００３６】
メディアモードを選択するための複数のメディアボタンと、トグルモードを選択するための複数のトグルボタンと、サステインモードを選択するための複数のサステインボタンは、運転者を基準に、使用頻度数が高い順に配置することができる。入力部（１２０）がソフトキーで構成される場合、複数のメディアモードと、複数のトグルモードと、複数のサステインモードは、運転者を基準に、使用頻度が高いモードの順に画面アイコンが前面に配置表示する。
【００３７】
ナビゲーション装置（１３０）は、ＧＰＳ（Ｇｌｏｂａｌ  Ｐｏｓｉｔｉｏｎｉｎｇ  Ｓｙｓｔｅｍ）受信器（１３１）、マップデータＤＢ（１３２）、及びナビゲーション制御部（１３３）で構成される。
【００３８】
ＧＰＳ受信器（１３１）は、ＧＰＳ衛星信号を受信し、受信した信号をナビゲーション制御部（１３３）に出力する。
【００３９】
マップデータＤＢ（１３２）は、地図（Ｍａｐ）データを格納する。
【００４０】
ナビゲーション制御部（１３３）は、ＧＰＳ衛星信号に基づいて、車両の現在の位置を算出する。ナビゲーション制御部（１３３）は、入力部（１２０）から受信するモード選択信号に応答して、ナビゲーションモードで動作する。
【００４１】
画面及びオーディオ変更部（１４０）は、ブーティング実行部（１４１）、周囲状態情報取得部（１４２）、ギア変速状態感知部（１４３）、及び制御部（１４４）で構成される。
【００４２】
ブーティング実行部（１４１）は、車両のエンジンのスタートによってシステムに電源が投入されると、システムをブーティングするための初期ブーティングプロセスを行う。例えば、ブーティング実行部（１４１）は、初期ブーティングにおいて、車両の周囲状態情報（後方カメラ又は前方カメラで撮影した映像、車両周囲の音声）を取得して表示するためのプログラムを、他のプログラムよりも早期にブーティングする。例えば、ブーティング実行部（１４１）は、変速機（２）のモードを確認するプログラム、周囲状態情報取得部（１４２）により車両の周囲状態情報を取得するプログラム、車両の前方カメラで撮影した映像を表示するプログラム、及びその他のプログラムの順にブーティングを行う。
【００４３】
周囲状態情報取得部（１４２）は、カメラ及びマイクを含み、車両の周囲状態情報を取得する。周囲状態情報取得部（１４２）は、カメラを通して車両の周囲の映像情報を取得し、マイクを通して車両の周囲の音声情報を取得する。
【００４４】
ここで、カメラは、車両の前方に設けられて車両の前方の映像情報を取得する前方カメラと、車両の後方に設けられて車両の後方の映像情報を取得する後方カメラを含む。
【００４５】
ギア変速状態感知部（１４３）は、車両の変速機から変速されるギアの変速状態を感知する。
【００４６】
制御部（１４４）は、ブーティング実行部（１４１）で初期ブーティングプロセスが行われる間に、ギア変速状態感知部（１４３）で感知した情報が後進（Ｒ）モードの場合に、ブーティング実行部（１４１）で出力するブーティング初期画面及び音声より周囲状態情報取得部（１４２）で取得した車両の周囲状態情報を優先して出力するように制御する。初期ブーティングにおいて、変速機（２）のモードを確認するプログラム、周囲状態情報取得部（１４２）により車両の周囲状態情報を取得するプログラムは、他のプログラムよりも早期にブーティングされることから、制御部（１４４）は、ブーティング実行部（１４１）で出力するブーティング初期画面及び音声より周囲状態情報取得部（１４２）で取得した車両の周囲状態情報を優先して出力することができる。
【００４７】
ここで、スピーカー（１６０）または表示部（１７０）は、出力部を構成する。
【００４８】
画面及びオーディオ変更部（１４０）は、オーディオ再生部（１４５）をさらに含むことができる。オーディオ再生部（１４５）は、オーディオ媒体を再生したり放送を受信して再生したりすることができる。
【００４９】
制御部（１４４）は、入力部（１２０）から受信するモード選択信号に応答して、例えば、Ｍｕｓｉｃモードで動作することができる。Ｍｕｓｉｃモードで動作する際には、制御部（１４４）は、モード制御信号（ＭＣＴＬ１）をオーディオ再生部（１４５）に出力する。
【００５０】
制御部（１４４）は、入力部（１２０）から受信するモード選択信号に応答して、例えば、Ｖｉｄｅｏモードで動作することができる。Ｖｉｄｅｏモードで動作する際には、制御部（１４４）は、ビデオデータを表示部（１７０）に出力する。
【００５１】
さらに、制御部（１４４）は、オーディオ制御信号に応答して、消音（Ｍｕｔｅ）解除信号をオーディオ処理部（１５０）に出力する。
【００５２】
オーディオ処理部（１５０）は、制御部（１４４）から受信する放送オーディオデータを放送オーディオ信号に変換してスピーカー（１６０）に出力する。オーディオ処理部（１５０）は、放送オーディオ信号をスピーカー（１６０）に出力する間、入力部（１２０）から消音（Ｍｕｔｅ）信号を受信すると、スピーカー（１６０）への放送オーディオ信号の出力を停止する。その後、オーディオ処理部（１５０）は、入力部（１２０）から消音（Ｍｕｔｅ）解除信号を受信すると、スピーカー（１６０）への放送オーディオ信号の出力を再開する。
【００５３】
オーディオ処理部（１５０）は、入力部（１２０）から音量ダウン信号を受信すると、スピーカー（１６０）に出力する放送オーディオ信号の音量を下げ、音量回復信号を受信すると、スピーカー（１６０）に出力する放送オーディオ信号の音量を以前のレベルに上げる。
【００５４】
オーディオ処理部（１５０）は、制御部（１４４）から受信する再生オーディオデータを再生オーディオ信号に変換してスピーカー（１６０）に出力する。さらに、オーディオ処理部（１５０）は、ナビゲーション制御部（１３３）から受信する案内オーディオデータを案内オーディオ信号に変換して、スピーカー（１６０）に出力する。
【００５５】
表示部（１７０）は、ナビゲーション制御部（１３３）から受信するビデオデータに基づいて、地図（Ｍａｐ）画面を表示する。表示部（１７０）は、Ｒａｄｉｏモード時に制御部（１４４）から受信するビデオデータに基づいて、オーディオ装置のＲａｄｉｏモード動作と関連した画面を表示する。さらに、表示部（１７０）は、Ｖｉｄｅｏモード時に制御部（１４４）から受信する再生ビデオデータに基づいて、再生ビデオ画面を表示する。
【００５６】
本発明の実施例では、発明を実施する形態によって、入力部（１２０）から第１のメディアモード選択信号が入力されると、制御部（１４４）は第１のメディアモードに該当するビデオまたはオーディオを再生し、入力部（１２０）から第１のトグルモード選択信号が入力されると、第１のトグルモードに該当するビデオを再生し、入力部（１２０）から第１のサステインモード選択信号が入力されると、第１のサステインモードに該当するビデオまたはオーディオを再生する。
【００５７】
さらに、制御部（１４４）は、駐車補助装置（２１０）から後進駐車モード信号が入力されると、現在モードのオーディオの音量を下げ、駐車補助装置（２１０）から入力される映像信号を再生し、後進駐車モードのオーディオの音量を現在のモードのオーディオの音量より大きく上げる。
【００５８】
一例として、駐車補助装置（２１０）は、ギア変速状態感知部（１４３）からギアの位置情報を受信し、ギアの位置によって前方または後方に設けられた超音波センサーを作動させる。例えば、駐車補助装置（２１０）は、ギアの位置が後進位置の場合、後方カメラと後方に設けられた超音波センサーを動作させ、後方カメラで撮影した映像信号と後方に設けられた超音波センサーからの信号を画面及びオーディオ変更部（１４０）に提供する。
【００５９】
制御部（１４４）は、後進駐車モードの場合、オーディオ処理部（１５０）を制御して、その以前のモードのオーディオ信号の音量を下げ、警告信号の音量を上げる。
【００６０】
図３を参照すると、制御部（１４４）は、現在モード（Ｓ１０）が第１のメディアモード（例えば、ＤＶＤモード）の状態で、入力部（１２０）から第２のトグルモード(例えば、ＣＬＩＭＡＴＥモード)選択信号が入力されると、第１のメディアモードを保留モードとして格納し、第１のメディアモードのオーディオ信号を消音（Ｍｕｔｅ）状態（Ｓ１１）に切り替えてから（ステップ２１）、第２のトグルモードに該当するビデオを再生する状態（Ｓ１２）に移る（ステップ２２）。制御部（１４４）は、入力部（１２０）からの複数のトグルモードの内何れか一つのトグルモード選択信号が入力されると、保留モードを確認し、保留モードとして確認された第１のメディアモードに該当するビデオを再生する（ステップ２３）。
【００６１】
即ち、本発明の実施例に係るＡＶＮシステムの画面及びオーディオ変更制御装置（１００）は、ユーザーが以前のモードを覚えてなくても、複数のトグルボタンの内何れか一つを押すだけで、保留モードを確認し、保留モードとして格納されている以前のモードを実行する。一例として、ユーザーが以前のモードの実行を望まない場合は、例えば、リセットボタンを押してから望むメディアモードまたはトグルモードを実行するようにＡＶＮシステムの画面及びオーディオ変更制御装置（１００）を構成しても良い。ここで、リセットボタンは、サステインボタンであっても良い。
【００６２】
図３で、ステップ２３を行う場合、制御部（１４４）は、以前のモードがオーディオ信号の消音（Ｍｕｔｅ）状態であるため、オーディオ音量オン（ＯＮ）信号の入力を確認し、オーディオ音量オン（ＯＮ）信号が入力されると（ステップ２４）、オーディオの音量をオンにする。図３で、制御部（１４４）は、第２のトグルモード状態で、入力部（１２０）から第１のメディアモード選択信号が入力されると、第１のメディアモードに該当するビデオまたはオーディオを再生する（ステップ２５）。
【００６３】
さらに、制御部（１４４）は、現在のモード（Ｓ１０の状態）が第１のメディアモード（例えば、ＤＶＤモード）の状態で、入力部（１２０）から第２のサステインモード（例えば、Ｐｈｏｔｏモード）選択信号が入力されると、第１のメディアモードを保留モードとして格納し、第１のメディアモードのオーディオ信号を消音（Ｍｕｔｅ）状態にした後（ステップ２１）、第２のサステインモードに該当するビデオまたはオーディオを再生する（ステップ２２）。制御部（１４４）は、入力部（１２０）から複数のトグルモードの内何れか一つのトグルモードを選択するためのトグルモード選択信号が入力されると、格納されている保留モードを確認し、保留モードとして確認された第１のメディアモードに該当するビデオを再生する（ステップ２３）。
【００６４】
ステップ２３を実行する場合、制御部（１４４）は、以前のモード（Ｓ１１）がオーディオ信号の消音（Ｍｕｔｅ）状態であるため、オーディオ音量オン（ＯＮ）信号の入力を確認し、オーディオ音量オン（ＯＮ）信号が入力される（ステップ２４）、オーディオの音量をオンにする。
【００６５】
ステップＳ１２での状態が第２のサステインモードの場合、制御部（１４４）は、第２のサステインモード状態（Ｓ１２）で入力部（１２０）から第１のメディアモード選択信号が入力されると、第１のメディアモードに該当するビデオまたはオーディオを再生する（ステップ２５）。
【００６６】
図４を参照すると、制御部（１４４）は、現在のモード（Ｓ２０の状態）が第１のメディアモードの状態で入力部（１２０）から第２のメディアモード選択信号が入力されると、第１のメディアモードを第１の保留モードとして格納し、第１のメディアモードのオーディオ信号を消音（Ｍｕｔｅ）状態（Ｓ２１）に切り替えてから（ステップ４１）、第２のメディアモードに該当するビデオまたはオーディオを再生する（ステップ４２）。制御部（１４４）は、入力部（１２０）から第３のトグルモード選択信号が入力されると、第２のメディアモードを第２の保留モードとして格納し、第２のメディアモードのオーディオ信号を消音（Ｍｕｔｅ）状態（Ｓ２３の状態）に切り替えてから（ステップ４３）、第３のトグルモードに該当するビデオを再生する（ステップ４４）。
【００６７】
制御部（１４４）は、入力部（１２０）から複数のトグルモードの内何れか一つのトグルモードを選択するためのトグルモード選択信号が入力されると、格納されている第１、第２の保留モードを確認し、第２の保留モードとして確認された第２のメディアモードに該当するビデオを再生することができるか否かを判断し、判断の結果が肯定であれば第２のメディアモードに該当するビデオを再生する（ステップ４５）。判断の結果が否定の場合は、第１の保留モードとして確認された第１のメディアモードに該当するビデオを再生することができるか否かを判断する。そして、判断の結果が肯定であれば、第１のメディアモードに該当するビデオを再生する（ステップ４６）。
【００６８】
さらに、制御部（１４４）は、入力部（１２０）から第３のサステインモード選択信号が入力されると、第２のメディアモードを第２の保留モードとして格納し、第２のメディアモードのオーディオ信号を消音（Ｍｕｔｅ）状態（Ｓ２３の状態）に切り替えてから（ステップ４３）、第３のサステインモードに該当するビデオを再生する（ステップ４４）。
【００６９】
制御部（１４４）は、入力部（１２０）から複数のトグルモードの内何れか一つのトグルモードを選択するためのトグルモード選択信号が入力されると、格納されている第１、第２の保留モードを確認し、第２の保留モードとして確認された第２のメディアモードに該当するビデオを再生することができるか否かを判断し、判断の結果が肯定であれば第２のメディアモードに該当するビデオを再生する（ステップ４５）。判断の結果が否定の場合は、第１の保留モードとして確認された第１のメディアモードに該当するビデオを再生することができるか否かを判断する。そして、判断の結果が肯定であれば、第１のメディアモードに該当するビデオを再生する（ステップ４６）。
【００７０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００７１】
１００：ＡＶＮシステムの画面及びオーディオ変更制御装置
１１０：車速感知部
１２０：入力部
１３０：ナビゲーション装置
１３１：ＧＰＳ受信器
１３２：マップデータＤＢ
１３３：ナビゲーション制御部
１４０：画面及びオーディオ変更部
１４１：ブーティング実行部
１４２：周囲状態情報取得部
１４３：ギア変速状態感知部
１４４：制御部
１５０：オーディオ処理部
１６０：スピーカー
１７０：表示部
２１０：駐車補助装置
【要約】
【課題】車両のエンジンをスタートした直後にギアを後進モードにした場合、ＡＶＮシステムをブーティングする間に、初期ブーティング画面を出力しないで、後方カメラの映像を出力するＡＶＮシステムの画面及びオーディオ変更制御装置を提供する。
【解決手段】ＡＶＮシステムの画面及びオーディオ変更制御装置は、カメラとマイクとを含んで、車両の周囲状態情報を取得する周囲状態情報取得部と、周囲状態情報取得部からの周囲状態情報を出力する出力部と、車両のギアの変速状態を感知するギア変速状態感知部と、車両のエンジンのスタートに伴ってシステム電源が印加されると、システムをブーティングするために初期ブーティングプロセスを行うブーティング実行部と、初期ブーティングプロセスを行う間に、後進ギア状態が感知された場合、初期ブーティング画面及び音声より周囲状態情報を出力部から優先して出力するように制御する制御部と、を備える。
【選択図】図２【図２】
0005834330.tif 000002
【図３】
0005834330.tif 000003
【図４】
0005834330.tif 000004
【図１】
0005834330.tif 000005